【手続補正書】
【提出日】平成20年9月8日(2008.9.8)
【手続補正１】
【補正対象書類名】特許請求の範囲
【補正対象項目名】全文
【補正方法】変更
【補正の内容】
【特許請求の範囲】
【請求項１】
複数の信号を同時に受信可能な受信部と、
前記受信部にて受信された信号を記録媒体に記録可能な記録部と、
複数の前記信号を同時に録画するとき、前記記録媒体の先頭アドレスに最も近い空き領域の先頭から個々の前記信号を記録するための領域を交互に確保し、前記記録媒体にしきい値以上の空き領域が存在する場合には、予め決められた第１のサイズとこれより小さい第２のサイズとの範囲でとり得る最大限の空き領域を前記信号を記録するための領域として確保し、前記しきい値以上の空き領域が存在しないとき、前記第２のサイズで前記信号を記録するための領域を確保する制御部と
を具備することを特徴とする録画装置。
【請求項２】
前記空き領域のしきい値が、選択可能な録画モードの中での最大のビットレートの値をＲmax 、最小のビットレートの値をＲmin 、前記第１のサイズの上限をＢとして、(（Ｒmax＋Ｒmin）／Ｒmin）×Ｂの計算によって求まる値であることを特徴とする請求項１に記載の録画装置。
【請求項３】
前記制御部は、同時に録画する複数の信号のそれぞれのビットレートの情報を取得して、これらのビットレートの情報に基づき、前記空き領域のしきい値を可変することを特徴とする請求項１に記載の録画装置。
【請求項４】
前記制御部は、同時に録画する複数の信号のそれぞれのビットレートの情報を取得して、これらのビットレートの情報に基づき、前記第１のサイズを増減調整することを特徴とする請求項１に記載の録画装置。
【請求項５】
同時に受信した複数の信号を記録媒体に録画するにあたり、前記記録媒体の先頭アドレスに最も近い空き領域の先頭から個々の前記信号を記録するための領域を交互に確保し、この際、前記記録媒体にしきい値以上の空き領域が存在する場合には、予め決められた第１のサイズとこれより小さい第２のサイズとの範囲でとり得る最大限の空き領域を前記信号を記録するための領域として確保し、前記しきい値以上の空き領域が存在しないとき、前記第２のサイズで前記信号を記録するための領域を確保することを特徴とする録画装置の同時録画方法。
【請求項６】
前記空き領域のしきい値が、選択可能な録画モードの中での最大のビットレートの値をＲmax 、最小のビットレートの値をＲmin 、前記第１のサイズの上限をＢとして、(（Ｒmax＋Ｒmin）／Ｒmin）×Ｂの計算によって求まる値であることを特徴とする請求項５に記載の録画装置の同時録画方法。
【請求項７】
同時に録画する複数の信号のそれぞれのビットレートの情報を取得して、これらのビットレートの情報に基づき、前記空き領域のしきい値を可変することを特徴とする請求項５に記載の録画装置の同時録画方法。
【請求項８】
同時に録画する複数の信号のそれぞれのビットレートの情報を取得して、これらのビットレートの情報に基づき、前記第１のサイズを増減調整することを特徴とする請求項５に記載の録画装置の同時録画方法。
【手続補正２】
【補正対象書類名】明細書
【補正対象項目名】発明の名称
【補正方法】変更
【補正の内容】
【発明の名称】録画装置およびその同時録画方法
【手続補正３】
【補正対象書類名】明細書
【補正対象項目名】０００５
【補正方法】変更
【補正の内容】
【０００５】
本発明は、かかる実情に鑑み、複数の信号を同時録画する際の、記録媒体上での各々の信号の断片化の比率を低減できるとともに、記録媒体にできる未使用の領域を低減して記録媒体の利用効率を高めることのできる録画装置およびその同時記録方法を提供しようとするものである。
【手続補正４】
【補正対象書類名】明細書
【補正対象項目名】０００６
【補正方法】変更
【補正の内容】
【０００６】
上記の課題を解決するために、本発明の録画装置は、複数の信号を同時に受信可能な受信部と、受信部にて受信された信号を記録媒体に記録可能な記録部と、複数の信号を同時に録画するとき、記録媒体の先頭アドレスに最も近い空き領域の先頭から個々の前記信号を記録するための領域を交互に確保し、記録媒体にしきい値以上の空き領域が存在する場合には、予め決められた第１のサイズとこれより小さい第２のサイズとの範囲でとり得る最大限の空き領域を信号を記録するための領域として確保し、しきい値以上の空き領域が存在しないとき、第２のサイズで信号を記録するための領域を確保する制御部とを具備することを特徴とする。
【手続補正５】
【補正対象書類名】明細書
【補正対象項目名】０００７
【補正方法】変更
【補正の内容】
【０００７】
この発明によれば、記録媒体の空き領域がしきい値以上である場合には、決められた第１のサイズとこれより小さい第２のサイズとの範囲でとり得る最大限の空き領域を信号を記録するための領域として確保することによって、１つの信号が記録媒体上に細かい領域に分散して記録される断片化の比率を低減することができる。また、しきい値以上の空き領域が存在しないとき、第２のサイズで信号を記録するための領域を確保することによって、記録媒体にできる未使用の領域を低減することができ、記録媒体の利用効率を高めることができる。
【手続補正６】
【補正対象書類名】明細書
【補正対象項目名】０００８
【補正方法】変更
【補正の内容】
【０００８】
また、本発明において、空き領域のしきい値を過度に大きい値にとると、記録媒体の全容量において第２のサイズを単位とする記録領域が占める割合が高くなり、すなわち断片化の比率が高くなって好ましくない。また、空き領域のしきい値が過度に小さいと、結果的に、低いビットレートの信号を記録する領域として確保された、第１のサイズとこれより小さい第２のサイズとの範囲でとり得る最大限の空き領域に、過度の空き領域を残す確率が高くなり、記録媒体の容量の利用効率を落とすことになる。
【手続補正７】
【補正対象書類名】明細書
【補正対象項目名】０００９
【補正方法】変更
【補正の内容】
【０００９】
そこで、選択可能な録画モードの中での最大のビットレートの値をＲmax 、最小のビットレートの値をＲmin 、第１のサイズの上限をＢとして、(（Ｒmax＋Ｒmin）／Ｒmin）×Ｂの計算によって求まる値を空き領域のしきい値として選定しておくことで、低いビットレートの信号の記録によって第１のサイズとこれより小さい第２のサイズとの範囲で確保された領域がすべて消費される前に、高いビットレートの信号のストリーム信号の第２のサイズ単位での記録によって記録媒体の空き領域がすべて消費されることがないようにすることができる。
【手続補正８】
【補正対象書類名】明細書
【補正対象項目名】００１０
【補正方法】変更
【補正の内容】
【００１０】
さらに、本発明において、制御部は、同時に録画する複数の信号のそれぞれのビットレートの情報を取得して、これらのビットレートの情報に基づき、空き領域のしきい値を可変するようにしてもよい。
【手続補正９】
【補正対象書類名】明細書
【補正対象項目名】００１１
【補正方法】変更
【補正の内容】
【００１１】
これにより、低いビットレートの信号の記録によって第１のサイズとこれより小さい第２のサイズとの範囲で確保された領域がすべて消費される前に、高いビットレートの信号のストリーム信号の第２のサイズ単位での記録によって記録媒体の空き領域がすべて消費されることによって、結果的に第１のサイズとこれより小さい第２のサイズとの範囲で確保された領域に過度の空き領域を残すといった事態の発生をより確実に規制することができる。
【手続補正１０】
【補正対象書類名】明細書
【補正対象項目名】００１２
【補正方法】変更
【補正の内容】
【００１２】
さらに、制御部は、同時に録画する複数の信号のそれぞれのビットレートの情報を取得して、これらのビットレートの情報に基づき、前記第１のサイズを増減調整するようにしてもよい。
【手続補正１１】
【補正対象書類名】明細書
【補正対象項目名】００１３
【補正方法】変更
【補正の内容】
【００１３】
これにより、１つの信号が記録媒体上に細かい領域に分散して記録される断片化の比率をより効果的に低減することができる。
【手続補正１２】
【補正対象書類名】明細書
【補正対象項目名】００１４
【補正方法】変更
【補正の内容】
【００１４】
本発明の録画装置およびその同時録画方法によれば、複数の信号を同時録画する際の、記録媒体上での各々の信号の断片化の比率を低減できるとともに、記録媒体にできる未使用の領域を低減して記録媒体の利用効率を高めることができる。